(57)【要約】      （修正有）【課題】電力が得られない山地や深山等においても、便槽内の木屑と排泄物との攪拌、混合を十分に実施可能にし、以って前記排泄物を無臭化処理するバイオマストイレの設置と運用を提供する。【解決手段】好気性バクテリアが生息する木屑を収納する便槽１と、この便槽１の上部に配置され、排泄物の落下通路を有する便器と、便槽１内に設置されて、便槽１内の木屑と排泄物とを便槽１外に臨む操作ハンドル１０の操作によって攪拌する攪拌翼と、入退室用の開閉ドア７が開閉自在に取り付けられたトイレ室４と、を備えて、前記木屑と排泄物との攪拌のためになされる操作ハンドル１０の操作回数が設定回数に達したことを条件に、ドア開閉機構３０に前記トイレ室４外から前記開閉ドア７を開操作可能にする構成である。【選択図】図４
0003180280.tif 000002
【実用新案登録請求の範囲】
【請求項１】
好気性バクテリアが生息する木屑を収納する便槽と、
この便槽の上部に配置され、排泄物の落下通路を有する便器と、
前記便槽内に設置されて、前記便槽内の木屑と排泄物とを便槽外に臨むハンドルの操作によって攪拌する攪拌翼と、
前記便器を内部に設置しており、入退室用の開閉ドアが開閉自在に取り付けられたトイレ室と、
前記木屑と排泄物との攪拌のためになされる前記ハンドルの操作回数が設定回数に達したことを条件に、前記トイレ室外から前記開閉ドアを開操作可能にするドア開閉機構と、
を備えることを特徴とするバイオマストイレの運用装置。
【考案の詳細な説明】
【技術分野】
【０００１】  本考案は、商用電力等が得られない地域、例えば山岳、奥深い山地などに設置されたバイオマストイレを、岳人やハイカーなどが便槽内の木屑と排泄物の攪拌操作をすることを条件に使用可能にするバイオマストイレの運用装置に関するものである。
【背景技術】
【０００２】  従来から、人の排泄物を微生物により分解処理するバイオマストイレが広く知られている（例えば、特許文献１参照）。このバイオマストイレは、オガクズなどの木屑に、人の糞、尿である排泄物を所定温度に保った状態にて攪拌、混合し、この攪拌物中で微生物である好気性バクテリアを活発に働かせることで、排泄物を水と二酸化炭素に分解するように機能する。このように分解処理された攪拌物は臭いを殆ど発生することがなく、さらに有機肥料や土壌改良材として再利用可能になる。【０００３】  ところで、前述のように分解処理された攪拌物は臭いが殆どなく、その臭いを周辺に発散することもない。このため、このバイオマストイレは公共の施設の外、例えば山岳、奥深い山地などにおいても広く利用可能である。また、このバイオマストイレにおいて前述のような分解処理による無臭化を効果的に実現するためには、前記木屑と排泄物との攪拌混合を十分に行うことが望ましい。このため、便槽内にモータなどによって駆動される攪拌翼を設置し、この攪拌翼によって、前記木屑と排泄物との攪拌混合を十分に行うこととしている。
【先行技術文献】
【特許文献】
【０００４】
【特許文献１】特開２０００−９１０２６号公報
【考案の概要】
【考案が解決しようとする課題】
【０００５】  しかしながら、上述した従来のバイオマストイレは、解決すべき以下の問題を有している。
即ち、標高の高い山地や深山などの地域にあっては、電力供給用の配電線が敷設されていない場合があり、従って前記攪拌翼をモータによって駆動するための電力（商用電力）が得られない。このため、電力供給用の配電線が敷設されていないことが、これらの地域へのバイオマストイレの設置、普及が進まない原因の一つとなっていた。【０００６】  本考案は、上述した事情に鑑みてなされたものであり、その目的は、電力が得られない山地や深山等においても、便槽内の木屑と排泄物との攪拌、混合を十分に実施可能にし、以って前記排泄物を無臭化処理するバイオマストイレの運用を容易に実現可能にするバイオマストイレの運用装置を提供することにある。
【課題を解決するための手段】
【０００７】  前述した目的を達成するために、本考案に係るバイオマストイレの運用装置は、好気性バクテリアが生息する木屑を収納する便槽と、この便槽の上部に配置され、排泄物の落下通路を有する便器と、前記便槽内に設置されて、前記便槽内の木屑と排泄物とを便槽外に臨むハンドルの操作によって攪拌する攪拌翼と、前記便器を内部に設置しており、入退室用の開閉ドアが開閉自在に取り付けられたトイレ室と、前記木屑と排泄物との攪拌のためになされる前記ハンドルの操作回数が設定回数に達したことを条件に、前記トイレ室外から前記開閉ドアを開操作可能にするドア開閉機構と、を備えることを特徴とする。【０００８】  この構成により、木質バイオマスとしての木屑（例えば、オガクズ）固有のバクテリアによる排泄物の生分解作用により、この排泄物を炭酸ガスと水分とに分解することができる。また、この分解作用による分解生成物はオガクズ中に残り、この分解の結果オガクズ中に残った残滓は有機肥料および土壌改良材として土壌に還元可能になる。【０００９】  また、木屑固有のバクテリアによる前記排泄物の生分解は、便槽内に設置された攪拌翼の回転によって促進されるため、バイオマストイレの利用者が前記攪拌翼による木屑と排泄物との攪拌操作を行うことを条件として、トイレ室の開閉ドアの開放並びに便器の使用を可能にしている。これによりバイオマストイレの使用毎に、つまり開閉ドアの開閉ごとに便槽内の木屑と排泄物との攪拌、混合が、山地などのように電力が得られない地域においても、電力を必要とするモータ等を用いずに、つまり人力の操作によって十分に可能になる。このため、山岳、山小屋におけるバイオマストイレの効果的な運用が実現可能になる。
【考案の効果】
【００１０】  本考案によれば、電力が得られない山地や深山等においても排泄物を無臭化処理するバイオマストイレの設置と運用を簡単に実現できる。【００１１】  以上、本考案について簡潔に説明した。更に、以下に本考案を実施するための最良の形態を添付の図面を参照して詳細に説明する。
【図面の簡単な説明】
【００１２】
【図１】本考案の実施形態において運用対象となるバイオマストイレを示す側面図である。
【図２】図１におけるバイオマストイレを一部横断して示す平面図である。
【図３】図１におけるバイオマストイレの便槽を一部縦断して示す側面図である。
【図４】図１におけるバイオマストイレの運用装置を示す要部の説明図である。
【図５】図１におけるギヤボックスの歯車の噛合構造を示す正面図である。
【図６】図４における開閉ドアの施錠部を示す平面図である。
【図７】図４における開閉ドアの他の施錠部を一部切断して示す概念図である。
【考案を実施するための形態】
【００１３】  以下、本考案の一実施の形態にかかるバイオマストイレの運用装置を、図１乃至図７を参照して詳細に説明する。
【００１４】  図１および図２は本実施形態による運用対象のバイオマストイレを一部縦断して示す側面図および一部横断して示す平面図である。このバイオマストイレは便槽１と、便器２と、便座３とを備える。これらのうち便槽１はトイレ室４内の床板５下部に設置され、便器２は便槽１上部の床板５上に設置され、さらにこの便器２上には便座３が載置されている。トイレ室４には、入退室用の開閉ドア７がヒンジ部材６により開閉自在に取り付けられている。この開閉ドア７は開閉操作用のドアノブ８を有する。
【００１５】  床板５は便槽収納枠９によって支持されてり、この便槽収納枠９内に前記便槽１が収納されている。この便槽収納枠９の側部には、軸受装置１３によって支持されたクランク形の操作ハンドル１０が臨み、この操作ハンドル１０の駆動軸１０ａは便槽１内に設置された後述の攪拌翼１６用の回転軸１７に、カプラ２０を介して連結されている。操作ハンドル１０は基部付近（回転軸１７との連結部付近）において前記軸受装置１３により円滑回転可能に支承されている。なお、軸受装置１３内に、複数の歯車を噛合させて各歯車のギヤ比を調節する変速機（変速ギヤ）を設けることは任意である。
【００１６】  便槽１後方の天板部１ａには、図３に示すような排気筒１１の一端部が取り付けられている。この排気筒１１は、一端部が床板５を貫通して、前記のように前記天板部１ａに連結され、他端部はトイレ室４外の上部に臨んでいる。この排気筒１１の上端には雨除け笠１２が取り付けられ、雨水が排気筒１１内に入り込まない構成となっている。
【００１７】  便槽１は、トイレの利用頻度に応じたサイズ、容量を持ち、木材、合成樹脂、板金などにより形成されている。この便槽１は天板部１ａに便器２の下端部が挿入される開口１５を有する。また、この便槽１内には攪拌翼１６が配置され、この攪拌翼１６を支持する回転軸１７の両端が、便槽１の対向する各側板部１ｂに取り付けられた軸受１８に回転自在に支承されている。
【００１８】  攪拌翼１６はヘリカルリボン翼１６ａ、１６ｂからなり、それぞれ回転軸の左半分および右半分に取り付けられている。これらのヘリカルリボン翼１６ａ、１６ｂは回転翼から半径方向に延びるアーム１９によって固定されている。また、回転軸１７のうち便槽１の外部に臨む一端部には、前述のように操作ハンドル１０の駆動軸１０ａがカプラ２０を介して連結されている。
【００１９】  この便槽１内には人の排泄物をバクテリアの働きによって生分解する木屑、例えばオガクズが入れ替え可能に収納されている。このため便槽１にはオガクズを出し入れする開閉口や開閉蓋（いずれも図示しない）などが設けられている。便槽１内のオガクズは、前記操作ハンドル１０の回転操作による攪拌翼１６の回転によって人の排泄物とともに攪拌され、それぞれが混合される。
【００２０】  前記便器２は、例えば陶磁器などにより形成されており、所定の厚みおよび強度を有する。この便器２は全体として上半部は大径であり、下半部は下方に向って徐々に小径となるように絞られ、全体として径が変化する円筒形をなす。便器２は床板５に設けられた便器取付孔としての前記開口１５の回りに支持されている。また、便器２の上端開口部には、これの内径方向に突出するフランジ部が連設されている。そして、その便器２の上端開口部から下端開口までの筒内は排泄物の落下通路となっている。
【００２１】  便座３は、周知のようにリング形または馬蹄形の座台と、この座台の上部をフランジ部（図示しない）を中心にして開閉自在に覆う蓋板とを備えて、便器２のフランジ部上に載置される。
【００２２】  バイオマストイレは以上のように構成されており、鉄道の駅、役所、運動場、公園などの公共施設や一般の家屋のほか、下水道設備のない山岳、深山、山道などのように電力が得られない環境においても広く利用が可能である。
【００２３】  ところで、木屑固有のバクテリアによる前記排泄物の生分解は、便槽１内に設置された攪拌翼１６の回転によって促進される。このため、攪拌翼１６を回転するモータ等への電力が得られない山岳など地域では、バイオマストイレの利用者等が前記攪拌翼１６による木屑と排泄物との攪拌操作を行う必要がある。本実施形態では、前記排泄物の生分解を可能にするために、バイオマストイレの利用者が前記攪拌翼１６による木屑と排泄物との手動による攪拌操作を行うことを条件に、トイレ室４の開閉ドア７の開放並びに便器２の使用を可能にすることとしている。
【００２４】  これによりバイオマストイレの使用毎に、つまり開閉ドアの開閉ごとに便槽１内の木屑と排泄物との攪拌、混合が、山地などのように電力が得られない地域においても、人力による攪拌操作によって可能になる。このため、山岳、山小屋におけるバイオマストイレの効果的な運用が実現可能になる。
【００２５】  図４は、このバイオマストイレの運用装置を構成するドア開閉機構３０を示す。このドア開閉機構３０は、ギヤボックス３１と、ワイヤの巻き取り用プーリ３３と、ガイドプーリ３４、３５と、回動錠杆３６と、錠保持枠３７と、ワイヤ３８とを備えている。
【００２６】  そして、前記ギヤボックス３１は、図５に示すように、操作ハンドル１０の駆動軸１０ａに取り付けられた小径ギヤ５１と、この小径ギヤ５１に噛み合う大径ギヤ５２と、この大径ギヤ５２とともに共通の軸５３に取り付けられた、一部に切欠５４を有する切欠ギヤ５５と、この切欠ギヤ５４に噛み合うプーリ駆動用ギヤ５６と、このプーリ駆動用ギヤ５６とともに共通の軸５７に取り付けられた、前記ワイヤ３８の一端を固定し、該ワイヤ３８の巻き取りおよび捲き戻しを行う前記プーリ３３とを備えている。
【００２７】  前記ギヤ５１、５２、５４、５６は、金属または硬質の合成樹脂からなる円板の周面に歯列を有するものからなり、特に大径ギヤ５５は切欠５４を有するため、この切欠５４では小径ギヤ５６との噛合はない。また、この小径ギヤ５６と軸５７を支持する軸受（図示しない）などの固定部材とには、渦巻バネ３９の各一端が止着されている。この渦巻バネ３９は、開閉ドア７の開放時における小径ギヤ５６と切欠ギヤ５５との噛合状態での回転中に、後述のように、逆回転力（反発力）を蓄勢する。
【００２８】  このため、大径ギヤ５５の所定角度の回転後に小径ギヤ５６が前記切欠５４に差しかかると、前記噛合状態が解除される。このため、渦巻バネ３９は前記蓄勢した逆回転力を放出し、小径ギヤ５６は前記とは逆方向に緩慢に回転付勢されて停止する。この緩慢回転は、図示しない周知のブレーキ機能を作用させることによって可能となる。また、切欠ギヤ５５は、前記停止時に小径ギヤ５６に対し再び噛合を開始する位置に至る。つまり、小径ギヤ５６は、操作ハンドル１０の次回の回転操作開始直前における大径ギヤ５４との噛合開始位置に至る。
【００２９】  小径ギヤ５６の軸５７には、ワイヤ３８の巻き取りおよび捲き戻しをするための前記巻き取り用プーリ３３が取り付けられている。この巻き取り用プーリ３３には、そのワイヤ３８の一端が止着されており、他端はガイドプーリ３４、３５にガイドされて前記回動錠杆３６の先端に止着されている。この回動錠杆３６はトイレ室４内であって開閉ドア７の設置部付近の壁面４ａに、図６に示すような支持軸（水平軸）４１を中心に回動自在に設けられている。
【００３０】  一方、この回動錠杆３６が設けられる部位付近の開閉ドア７の内面には、錠保持枠３７が取り付けられている。この錠保持枠３７は、図６に示すように全体としてＬ字状をなし、前記回動錠杆３６が所定の回動範囲内で水平方向（図上、前後方向）へ移動するのを規制し（移動規制状態）、その所定の回動範囲外ではその水平方向への移動を許容する（移動規制解除状態）長めのロック片３７ａと、このロック片３７ａの下端に水平に延びて、開閉ドア７に固定される短めの取付片３７ｂとからなる。
【００３１】  従って、その水平方向への回動錠杆３６の前述のような移動規制状態にあっては、開閉ドア７の図６に示す鎖線矢印の方向への開放が規制され、トイレ室４内への入室はできない。一方、前記移動規制状態が解除された場合には、開閉ドア７の開閉が可能になり、トイレ室４内への入室が可能になり、トイレの使用が可能になる。
【００３２】  この場合において、前記ギヤ５１、５２どうしおよびギヤ５５、５６どうしの各ギヤ比および回動錠杆３６の回動量は、操作ハンドル１０を例えば１０回転操作したときに、錠保持枠３７のロック片３７ａによる前記水平移動規制範囲内から、図４に示すように、回動錠杆３６が鎖線で示す位置へ外れていくように、予め設計される。これにより、操作ハンドル１０を１０回分回転操作することで開閉ドア７が開放され、トイレの使用が可能になる。
【００３３】  操作ハンドル１０の回動回数は、便槽１における木屑と排泄物との攪拌、混合が好気性バクテリアによる排泄物の無臭化分解処理に必要となる回転数であり、前記の１０回転に限らず、周辺環境の気温や設備の大小等に応じた最適回転数に設定される。また、前記操作ハンドル１０の駆動軸１０ａにはプーリ６１が取り付けられている。
【００３４】  また、トイレ室４内の側壁の壁面４ｂには軸受装置６２が設けられ、この軸受装置６２には操作ハンドル６３の駆動軸６３ａが回転自在に支持されている。この駆動軸６３ａの一端はトイレ室４外に貫通し、貫通してトイレ室４外に臨む部位に、図４に示すようなプーリ６４が取り付けられている。このプーリ６４と前記ハンドル１０に取り付けられたプーリ６１との間には無端状のワイヤ５４が張設されている。つまり、操作ハンドル１０はトイレ室４外に設けられ、操作ハンドル５２はトイレ室４内にそれぞれ設けられ、これらの一方を回転操作すると他方が同時に回転する連動関係となっている。
【００３５】  かかる構成のバイオマストイレの運用装置では、トイレ室４を利用する者は、先ず、操作ハンドル１０を例えば１０回分の回転操作をし、便槽１内の攪拌翼１６によって木屑と前回利用者の排泄物とを攪拌、混合させる。この操作ハンドル１０の回転は、小径ギヤ５１から大径ギヤ５２、軸５３、切欠ギヤ５４、小径ギヤ５６に順次伝えられる。小径ギヤ５６の回転は軸５７を介して巻き取り用プーリ３３に伝えられ、この巻き取り用プーリ３３はガイドプーリ３４、３５を介してワイヤ３８を引き込むように巻き取っていく。
【００３６】  このため、このワイヤ３８端を先端部に止着している回動錠杆３６が支持軸４１を中心に、図中時計方向に回動していく。そして、操作ハンドル１０を前記１０回分の回転操作をすると、前記ギヤ比に応じたワイヤ３８の移動量に応じて、回動錠杆３６は錠保持枠３７の上端からさらに上方へ移動する。このため、錠保持枠３７に対する回動錠杆３６の水平方向への移動規制が解除される。この結果、開閉ドア７はヒンジ部材６を中心として開放（回動）が可能になる。そこで、トイレの使用者はドアノブ８を手動操作して開閉ドア７を開き、トイレ室４内に入って再び開閉ドアを閉め、必要に応じて内部ロックキーを操作するなどして用を足すことができる。
【００３７】  この場合において、操作ハンドル１０の回転数が例えば１０回転を超えると、切欠ギヤ５５の切欠５４が小径ギア３１の歯列に対向する関係となり、切欠ギヤ５５と小径ギヤ５６との噛合が一時的に解除される。このため、この噛合解除によって小径ギヤ５６は渦巻ばね３９の反発力を受けながら所定のラグタイムで緩慢に復帰回転する。つまり蓄積した前記逆回転力を放出する。
【００３８】  また、このとき小径ギヤ５６は切欠ギヤ５５の切欠５４に続く歯列部との噛合開始の直前位置に臨み、次のトイレ利用者による操作ハンドル１０の回転操作の開始、つまり前記噛合の開始を待ち受ける状態になる。このとき、前記小径ギヤ５６の緩慢な復帰回転によって回動錠杆３６は錠保持枠３７内に落ち込んでロックされる状態に戻る。
【００３９】  一方、トイレ室４内で用を足した後は、このトイレ室４内で操作ハンドル６３を回転操作する。これによりこの操作ハンドル６３の回転は、プーリ６４、６１を順次介して前記ギヤボックス３１内の各ギヤ５１、５２、５５，５６に伝えられる。これにより操作ハンドル１０の回転操作の場合と全く同様に、回動錠杆３６は支持軸４１を中心に再び回動し、錠保持枠３７との係合が解除される。これによりドアノブ８を操作し開閉ドア７を開くことで、トイレ室４外へ出ることができる。
【００４０】  なお、前記においては、ドア開閉機構３０が、ギヤ５１、５２、５５、５６と、巻き取り用プーリ３３と、ガイドプーリ３４、３５と、回動錠杆３６と、錠保持枠３７と、ワイヤ３８とを備えるドア開閉機構を中心に説明したが、これに限らず、操作ハンドル１０、６３を所定回数回転操作することにより開閉ドア７を開放（ドアロック解除）可能にする、周知のあらゆるドア開閉機構を採用することは任意である。
【００４１】  また、前記においては開閉ドア７の開閉操作を、回動錠杆３６の錠保持枠３７に対する係合解除および係合によって行った場合を示したが、図７に示すように、開閉ドア７側に取り付けられた係止リング７１およびトイレ室４内の壁面に取り付けられたもう一つの係止リング７２の両方に対し、前記ワイヤ３８端に吊持させた略円錐形の錘７３を同時に嵌合可能とする構成としてもよい。この場合には、錘７３が係止リング７２とともに係止リング７１の移動を規制するので、開閉ドア７の開放が規制される。一方、錘７３が係止リング７１、７２から外れるように上方へ移動した場合には、開閉ドア７の開放が可能になる。
【００４２】  前記においては、電力、動力を一切使用しないで攪拌翼１６を１０回転の操作を行った際にトイレ室４の開閉ドア７のロックを解除するケースについて述べた。しかし山中に設置した、例えば太陽電池パネルから得た電力を利用して、攪拌翼１６の回転数をカウンタを用いて計測し、その計測した回転数が１０回であるとき、制御手段によりソレノイドを付勢させて、開閉ドア７の施錠を自動解除可能にすることもできる。この場合には、太陽電池パネルが発生する小電力で開閉錠の開閉制御を簡単に実施できる。
【００４３】  以上のように、本実施形態のバイオマストイレの運用装置は、好気性バクテリアが生息する木屑を収納する便槽１と、この便槽１の上部に配置され、排泄物の落下通路を有する便器２と、便槽１内に設置されて、この便槽１内の木屑と排泄物とを便槽１外に臨む操作ハンドル１０の操作によって攪拌する攪拌１６と、  便器２を内部に設置しており、入退室用の開閉ドア７が開閉自在に取り付けられたトイレ室４と、を備えてなり、ドア開閉機構３０を用いることで、木屑と排泄物との攪拌のためになされる操作ハンドル１０の操作回数が設定回数に達したことを条件として、トイレ室４外から開閉ドア７を開操作可能にした構成である。
【００４４】  これによって、木屑固有のバクテリアによる排泄物の生分解は、便槽１内に設置された攪拌翼１６の回転によって促進され、バイオマストイレの利用者が前記攪拌翼１６の操作によって木屑と排泄物とを手動で攪拌することで、トイレ室４の開閉ドア７の開放並びに便器２の使用が可能になる。この結果、バイオマストイレの使用毎に、つまり開閉ドア７の開閉ごとに便槽１内の木屑と排泄物との攪拌、混合が、山地などのように電力が得られない地域においても、人力の操作だけで十分に可能になる。このため、山岳、山小屋等におけるバイオマストイレの効果的な運用が実現可能になる。
【産業上の利用可能性】
【００４５】  本考案のバイオマストイレの運用装置は、電力が得られない山地や深山等においても排泄物を無臭化処理するバイオマストイレの設置と運用を簡単に実現でき、
岳人やハイカーなどが便槽内の木屑と排泄物の攪拌操作をすることを条件に、トイレを使用可能にするバイオマストイレの運用装置等に有用である。
【符号の説明】
【００４６】１  便槽
２  便器
３  便座
４  トイレ室
６  ヒンジ部材
７  開閉ドア
１０、６３  操作ハンドル
１０ａ  駆動軸
１１  排気筒
１２  雨除け笠
１３、６２  軸受装置
１４  支軸
１６  攪拌翼
１７  回転軸
１８  軸受
１９  アーム
２０  カプラ
３０  ドア開閉機構
３１  ギヤボックス
３３  巻き取り用プーリ
３４、３５  ガイドプーリ
３６  回動錠杆
３７  錠保持枠
３８  ワイヤ
３９  渦巻ばね
４１  支持軸
５１  小径ギヤ
５２  大径ギヤ
５３、５７  軸
５４  切欠
５５  切欠ギヤ
５６  プーリ駆動用ギヤ
６１、６４  プーリ
６２  軸受装置
【図１】
0003180280.tif 000003
【図２】
0003180280.tif 000004
【図３】
0003180280.tif 000005
【図４】
0003180280.tif 000006
【図５】
0003180280.tif 000007
【図６】
0003180280.tif 000008
【図７】
0003180280.tif 000009